(57)【要約】  製品が代表するエネルギーのタイプを確認するために製品をテストし、製品にラベル付けし、消費者が製品を入手するか否かを判断する際の助けとするためにテスト結果を公表することを含む。テストは、製品の上に磁石を置き、二本指Ｏリングテストを使用することによって行われる。
2020520463.tif 000002
【特許請求の範囲】
【請求項１】
使用または消費のために製品を分類する方法であって、
特定の製品の使用者または消費者に対してプラスの効果を与えるかマイナスの効果を与えるかを測定するために前記特定の製品をテストするステップと、
前記テストの結果に応じて前記特定の製品にラベル付けするステップと、
消費者が製品購入の決定を下す際の助けとするために、消費者の使用のために前記テスト結果及び前記ラベル付けを公表するステップと、
消費者による購入のために前記の通りラベル付けされた製品を提供するステップと、
を含む、方法。
【請求項２】
前記テストするステップが、前記特定の製品を人に接触させて配置するステップと、磁石のＮ極及びＳ極の一方を前記特定の製品に対面させて前記磁石を前記特定の製品に接触させて配置するステップと、二本指Ｏリングテストを適用するステップと、を含む、請求項１に記載の方法。
【請求項３】
前記磁石のＮ極及びＳ極の他方を前記特定の製品に対面させるように前記磁石を裏返すさらなるステップを含む、請求項２に記載の方法。
【請求項４】
第三者が前記人の外部エリアに非侵襲性プローブを置きかつ前記二本指Ｏリングを形成する更なるステップを含む、請求項２に記載の方法。
【請求項５】
前記特定の製品が食品である、請求項２に記載の方法。
【発明の詳細な説明】
【技術分野】
【０００１】
関連出願の相互参照
本出願は、２０１７年５月３日に提出された米国仮特許出願第６２／５００６２２号に基づく非仮出願であり、出願者は、その第１出願日の利益を請求する。
【０００２】
本発明は、概略的に、製品が代表するエネルギーのタイプを測定するための製品のテストに関するものであり、より具体的には、製品の使用者又は消費者が製品を入手すべきか否かを判断するのを助けるために、伝統的中国医学に従って製品が主に陰エネルギー（Yin Energy）を含むか陽エネルギー（Yang Energy）を含むかを測定し、これに応じて製品にラベル付けすることに関する。
【背景技術】
【０００３】
全ての製品がエネルギーを含む。伝統的中国医学によれば、エネルギーは２つのタイプ即ち陰エネルギーと陽エネルギーに分けられる。伝統的中国医学は、身体を、動的均衡におけるエネルギーシステムとして見る。「気（Qi）」は、エネルギー又は生命力と訳すことができ、身体のあらゆる部分に規則的パターンで流れる。気の流れに障害がないとき、調和、均衡及び健康がある。気が妨げられると、即ち気が多すぎたり不足したりすると、不均衡となり、不調和に繋がる。
【０００４】
伝統的中国医学の主要な目標は、人体内に全体性及び調和を生成して、心／体／精神が自己治癒できるようにすることである。
【０００５】
伝統的中国医学理論は、壮健を保つことは身体の内部能力であると想定する。これが健康のカギである。この理論において、人は、特定量の生来の気を持って生まれるが、エネルギーは身体によって使用されて交換されないので、気は容易に激減する。生来の気は、増大することができず、出来る限り均衡を保つことによって維持することしかできない。
【０００６】
伝統的中国医学に従った均衡の取れた生活体系は、これを生成し維持する全てから成る。生活体系の部分の全てが相互に調和すると、全てが相互に繋がって相互に依存しあって、生活体系全体が均衡する。気は、最大限広い意味でエネルギーであり、普遍的である。気は、定義上様々な形式を取る物質から成るあらゆる製品を含めてエネルギーの最も物質的観点から見てあらゆる形式のエネルギーを包含する。
【０００７】
陰陽の力学は、常に我々の周りの世界において動いており変化しているので、我々は、生活における陰陽の均衡を維持して健康と安寧を維持するために、これらの変化に持続的に対応しなければならない。変化に適切に対応しないと、我々の生活における陰陽の調和は、不調和のパターンに傾く可能性がある。不調和の潜在的原因は、２つの大きなカテゴリー、即ち欠乏と過剰、に属する。
【０００８】
欠乏は、通常、具体的には体内の気の発現の１つ又はそれ以上の変化を意味するが、より概略的には、通常身体を維持し養うもののいずれかの不足も意味できる。陰陽の常に変動する力学に適切に対応するためには、充分な量の気を持たなければならない。生活において我々が使用する気のほとんどは、我々が食する物及び我々が呼吸する空気から得られるので、伝統的な中国医学は、十分かつ適切な食事を非常に重視する。
【０００９】
過剰は、通常、我々の本質に何らかの形で充満する何かの存在を意味するが、必要以上に何かが過多であることも意味できる。
【００１０】
欠乏又は過剰によって生じる不均衡を回避するためには、陰陽を組み入れた生活様式を作らなればならず、世界を感じかつ何を必要とするかを判断するための注意深さ及び精神的明白さを持たなければならず、自身に新たな問題を生じることなく又は我々の周りの世界に不調和を生じることなく、どのように我々の必要性を満たすことができるかを判断しなければならない。
【発明の概要】
【発明が解決しようとする課題】
【００１１】
物質はエネルギーを含み、全ての製品は様々な形式の物質から成るので、気を含む製品の人間又は動物による利用又は消費が陰陽エネルギーの適切な均衡を維持しそれによって調和を維持するのに役立つように、人間又は動物が使用し消費する製品が、適切なエネルギーに分類されることが重要である。適切な均衡を得るために、本発明の目的は、関与する人にとってエネルギー量（即ち、女性にはより多くの陰、男性にはより多くの陽）を最大限にすることである。したがって、人間又は動物が使用または消費する製品の全てが、製品が所有するエネルギーに応じて適切にラベル付けされること、及びこれに応じて、通常の毎日の生活において人間がどの製品を取得し使用または消費するかを判断する際の助けとなるように製品がラベル付けされることが肝要である。
【課題を解決するための手段】
【００１２】
本発明は、特定の製品の使用者又は消費者にとって特定の製品が与えるエネルギー効果がより強いか又は弱いかを判定するために、特定の製品をテストすることを含む、使用または消費のために製品を分類する方法である。製品を人に接触させて配置し、磁石を製品に接触させて配置して、二本指Ｏリングテスト（bi-digital O-ring test）を応用し、テスト結果に応じて特定の製品にラベル付けし、テスト結果を公表し、使用または消費のために製品を入手すべきか否かについて消費者が決定を下す際の助けとなるように製品にラベル付けする。
【図面の簡単な説明】
【００１３】
【図１】図１は、二本指Ｏリングテストを示す。
【図２】図２は、二本指Ｏリングテストを示す。
【図３】図３は、本発明の原理に従った製品のテストを示す概略図である。
【図４】図４は、参加するには人が弱すぎる場合の製品のテストを示す。
【発明を実施するための形態】
【００１４】
人体などの有機体にはエネルギー回路が存在すること、及びこのようなエネルギー場は身体の周り５センチメートルの範囲まで及ぶことが測定されている。上述の通り、全ての製品は物質で作られ、物質はエネルギーを持ち、その結果、エネルギーは電磁場を生成し、電磁場は特定の製品の周りに存在する。本発明は、テスト対象の製品と人体との間で相互作用する電磁場の存在を利用する。製品のテストは、二本指Ｏリングテストを利用することによって本発明の好ましい実施形態に従って実施される。二本指Ｏリングテストは、Ｏｍｕｒａ米国特許第５１８８１０７号に詳細に開示されており、これは、参照により、本明細書に援用される。上述のように、特定の製品を分類する際に、製品を人に接触させて配置され、磁石は製品に当てられて、検査者は、二本指Ｏリングテストを利用して、製品が陰エネルギーであるか陽エネルギーであるかを測定する。
【００１５】
図１に示すように、テストに利用される人は１０で示される。二本指Ｏリングテストを提供する人は、同じ手の親指と他の１本の指を、１２、１４に示すように合わせる。１６で示されるテストを実施する人は、図１に示すように、各手の人差し指と親指を合わせることによって、人１０によって形成されたＯリングの内部に自分の両手の指をインターロックし、その後、矢印１８及び２０で示すように、検査者１６は、人１０の二本指Ｏリングを分離するように力を加える。図１及び２には人１０の親指と人差し指が示されるが、テストに利用される人と検査者の相対的強さ及び製品の優勢的な陰又は陽の強さに応じて、親指を他のどの指と合わせても良い。
【００１６】
次に更に具体的に図３を参照すると、本発明の原理に従って製品をテストする様式を図解する概略図が示される。図３に示すように、テストに利用される人は２２で示され、検査者は２４で示される。本発明の原理に従って、図に２６で示されるようなテスト対象の製品は、人２２に接触させて配置される。この例において、製品２６は、人２２の手の平に置かれる。但し、製品２６は人２２の身体の他の部分の他の位置に接触させて配置できる。上述のように、本発明は、人間又は動物が使用または消費する任意の種類の任意の製品をテストすることであるが、本発明の説明を単純化するために、製品２６は食品として説明される。上述のように、食品は、エネルギーを含み、伝統的中国医学に従ったエネルギーは、２つのタイプ即ち陰エネルギーと陽エネルギーに分けられる。陽エネルギーは男性であり、温め、動いている。陰エネルギーは女性であり、冷やし、養う。磁石も、２つのタイプのエネルギー又は極、即ちＮ極とＳ極を持つ。磁石のＮ極は陰であり、磁石のＳ極は陽である。図３に示すように、磁石２８は、食品２６の上に置かれる。磁石はＮ極とＳ極を持つ。磁石のＮ極は陰であり、磁石のＳ極は陽である。磁石２８が、Ｓ極（陽）を食品２６へ向けて下向きになるように食品２６の上に置かれる場合、食品２６が主に陽エネルギーを持つと、弱い反応が生じる。これは、磁石のＳ極が陽であり、食品が陽エネルギーを持つからである。これは２つのＳ極磁石を合わせる場合（反力を引き出す）と同じである。食品などの製品をテストする場合も同様である。磁石２８が裏返され、食品２６が陽の製品の場合、強い引力エネルギーが生じる。
【００１７】
図３に示すように、食品が主に陽エネルギーを持ち、磁石２８のＳ極が食品２６の上面に下向きに置かれると仮定すると、検査者は、図３に示すように簡単に二本指Ｏリングを引っ張って離すことができる。上述のように、磁石が裏返されて強い引力エネルギーが生じると、検査者２４は、人２２の親指と指にこれを上回る力を加えない限り、人２２の二本指Ｏリングを分離できない。このように、製品２６が（この場合、食品）主に陽エネルギーを持つと容易に測定でき、食品２６を購入し消費すると、人体系に強い陽（男性）エネルギーを与えることを客が認識できるように、この情報を客に与えるために食品にラベル付けできる。
【００１８】
同様に、Ｓ極を下にして食品２６と磁石２８を置き、検査者２４が人２２の二本指Ｏリングを分離するのが困難である場合、製品２６は主に陰エネルギーを持つと測定され、客が製品を購入する際の助けとなるように製品にそのようにラベル付けできる。
【００１９】
子供又は動物又は体が弱い人など上述のように二本指Ｏリングを使用することができない場合、方法は、ガラス作られたものなどの非導電性プローブロッド式装置を利用する非侵襲性外部プローブを、図４に示すように人体の外部エリアに配置することによっても利用できる。
【００２０】
図４に示すように、人３０は弱すぎるか又は子供であり、必要な指のＯリングを作れない。このような場合、テスト対象の製品３２は、人３０の上に置かれ、第三者３４が、製品３２に磁石３６を接触させて前記人の外部エリアに非侵襲性非導電性プローブを置く。第三者３４は、上述のように二本指Ｏリングを作り、検査者３８は、二本指Ｏリングを分離するために力を加えて、製品３２が主に陰エネルギーを持つか陽エネルギーを持つかを測定する。
【００２１】
伝統的中国医学に従って製品が陰エネルギーを持つか陽エネルギーを持つかを測定して、これに応じて客が製品の購入を決定する際の助けとするためにラベル付けできるように、製品をテストする方法を開示した。
【図１】
2020520463.tif 000003
【図２】
2020520463.tif 000004
【図３】
2020520463.tif 000005
【図４】
2020520463.tif 000006
【国際調査報告】
2020520463.tif 000007